(57)【特許請求の範囲】
【請求項１】
光磁気ディスクからの反射光を２つの偏光成分の光束に分離し、おのおのの偏光成分の光束をそれぞれ受光素子で受光し、これらの２つの受光素子の受光信号の差信号を形成して光磁気信号を形成する光磁気ディスク装置において、
上記第１の受光素子の受光信号を増幅する可変利得増幅回路と、
上記第２の受光素子の受光信号と上記可変利得増幅回路の差を算出して光磁気信号を形成する演算手段と、
上記可変利得増幅回路の利得を記録状態検出時の２つの偏光成分の光量比に基づいて初期設定するとともに、上記可変利得増幅回路の出力信号レベルが、上記第２の受光素子の信号レベルに等しくなるように上記可変利得増幅回路の利得を制御する制御手段を備えたことを特徴とする光磁気ディスク装置。
【請求項２】
光磁気ディスクからの反射光を２つの偏光成分の光束に分離し、おのおのの偏光成分の光束をそれぞれ受光素子で受光し、これらの２つの受光素子の受光信号の差信号を形成して光磁気信号を形成する光磁気ディスク装置において、
上記第１の受光素子の受光信号を増幅する可変利得増幅回路と、
上記第２の受光素子の受光信号と上記可変利得増幅回路の差を算出して光磁気信号を形成する演算手段と、
上記可変利得増幅回路の利得を記録状態検出時の２つの偏光成分の光量比に基づいて初期設定するとともに、データ記録位置を再生したときの上記可変利得増幅回路の出力信号レベルが、上記第２の受光素子の信号レベルに等しくなるように上記可変利得増幅回路の利得を制御する制御手段を備えたことを特徴とする光磁気ディスク装置。
【請求項３】
光磁気ディスクからの反射光を２つの偏光成分の光束に分離し、おのおのの偏光成分の光束をそれぞれ受光素子で受光し、これらの２つの受光素子の受光信号の差信号を形成して光磁気信号を形成する光磁気ディスク装置において、
上記第１の受光素子の受光信号を増幅する可変利得増幅回路と、
上記第２の受光素子の受光信号と上記可変利得増幅回路の差を算出して光磁気信号を形成する演算手段と、
上記可変利得増幅回路の利得を記録状態検出時の２つの偏光成分の光量比に基づいて初期設定するとともに、光磁気ディスクが装着されると、その直後に、上記可変利得増幅回路の出力信号レベルが、上記第２の受光素子の信号レベルに等しくなるように上記可変利得増幅回路の利得を制御し、それ以降はその利得の設定状態を保持する制御手段を備えたことを特徴とする光磁気ディスク装置。
【請求項４】
光磁気ディスクからの反射光を２つの偏光成分の光束に分離し、おのおのの偏光成分の光束をそれぞれ受光素子で受光し、これらの２つの受光素子の受光信号の差信号を形成して光磁気信号を形成する光磁気ディスク装置において、
上記第１の受光素子の受光信号を増幅する可変利得増幅回路と、
上記第２の受光素子の受光信号と上記可変利得増幅回路の差を算出して光磁気信号を形成する演算手段と、
上記可変利得増幅回路の利得を記録状態検出時の２つの偏光成分の光量比に基づいて初期設定するとともに、光磁気ディスクが装着されると、その直後に、データ記録位置を再生し、その再生時の上記可変利得増幅回路の出力信号レベルが、上記第２の受光素子の信号レベルに等しくなるように上記可変利得増幅回路の利得を制御し、それ以降はその利得の設定状態を保持する制御手段を備えたことを特徴とする光磁気ディスク装置。
【発明の詳細な説明】
【０００１】
【産業上の利用分野】
本発明は、光磁気ディスクからの反射光を２つの偏光成分の光束に分離し、おのおのの偏光成分の光束をそれぞれ受光素子で受光し、これらの２つの受光素子の受光信号の差信号を形成して光磁気信号を形成する光磁気ディスク装置に関する。
【０００２】
【従来の技術】
図５（ａ），（ｂ），（ｃ）は、光磁気ディスク装置に適用される光ピックアップ装置の光学系の要部を示している。なお、この場合、周知の非点収差法を用いてフォーカシング誤差を検出している。
【０００３】
図において、半導体レーザ素子１から出力されたレーザ光は、コリメートレンズ２によって平行光のレーザビームに変換され、そのレーザビームは、ビームスプリッタ３の分離面３ａで反射されて、対物レンズ４に導かれる。
【０００４】
レーザビームは、対物レンズ４により、光磁気ディスク５の記録面に集束される。光磁気ディスク５の記録面からの反射光は、対物レンズ１４を通過して平行光に変換され、ビームスプリッタ３の分離面１３ａを透過し、その光束ＬＦは、１／２波長板６を通過してその偏光面が４５゜回転され、その光束ＬＦａは、集光レンズ７により集束され、偏光ビームスプリッタ８に入射される。
【０００５】
この偏光ビームスプリッタ８を透過したＰ偏光成分の光束ＬＥａは、シリンドリカルレンズ９を通過し、４分割受光素子１０の受光面（同図（ｃ）参照）に入射し、また、偏光ビームスプリッタ８で反射されたＳ偏光成分の光束ＬＥｂは、２分割受光素子１１の受光面（同図（ｄ）参照）に入射する。
【０００６】
また、対物レンズ４には、対物レンズ４をフォーカシング方向およびトラッキング方向に移動するための対物レンズ移動機構（図示略）が配設されている。また、この光ピックアップ装置には、その全部、または、対物レンズ４とその周囲機構を含む一部を、光磁気ディスク５の半径方向に往復移動するためのシーク機構（図示略）が付設されている。
【０００７】
図６は、４分割受光素子１０および２分割受光素子１１の各受光面からの信号を処理して、光磁気ディスク５の記録トラックのユーザ領域からの再生信号である光磁気信号ＭＯ、レーザビームの焦点誤差をあらわすフォーカシング誤差信号ＥＦ、レーザビームのトラッキング誤差をあらわすトラッキング誤差信号ＥＴを形成するための検出信号処理部の従来例を示している。
【０００８】
同図において、４分割受光素子１０の受光面１０ａから出力される受光信号ＰＳａは、電流／電圧変換器１５を介して電圧信号に変換された後に、加算器１６の一方の入力端に加えられており、４分割受光素子１０の受光面１０ｂから出力される受光信号ＰＳｂは、電流／電圧変換器１７を介して電圧信号に変換された後に、加算器１８の一方の入力端に加えられており、４分割受光素子１０の受光面１０ｃから出力される受光信号ＰＳｃは、電流／電圧変換器１９を介して電圧信号に変換された後に、加算器１６の他方の入力端に加えられており、４分割受光素子１０の受光面１０ｄから出力される受光信号ＰＳｄは、電流／電圧変換器２０を介して電圧信号に変換された後に、加算器１８の他方の入力端に加えられている。
【０００９】
２分割受光素子１１の受光面１ａから出力される受光信号ＰＳｅは、電流／電圧変換器２１を介して電圧信号に変換された後に、減算器２２のプラス側入力端および加算器２３の一方の入力端に加えられており、２分割受光素子１１の受光面１１ｂから出力される受光信号ＰＳｆは、電流／電圧変換器２４を介して電圧信号に変換された後に、減算器２２のマイナス側入力端および加算器２３の他方の入力端に加えられている。
【００１０】
加算器１６の加算出力は、減算器２５のプラス側入力端および加算器２６の一方の入力端に加えられており、加算器１８の加算出力は、減算器２５のマイナス側入力端および加算器２６の他方の入力端に加えられている。
【００１１】
加算器２３の加算出力ＰＤｂは、減算器２７のマイナス側入力端に加えられており、加算器２６の加算出力ＰＤａは、減算器２７のプラス側入力端に加えられている。
【００１２】
そして、減算器２２の減算出力がトラッキング誤差信号ＥＴとして出力され、減算器２５の減算出力がフォーカシング誤差信号ＥＦとして出力され、減算器２７の減算出力が光磁気信号ＭＯとして出力されている。
【００１３】
このようにして、４分割受光素子１０の各受光面１０ａ，１０ｂ，１０ｃ，１０ｄからの受光信号の総和の信号ＰＤａから、２分割受光素子１１の各受光面１１ａ，１１ｂからの受光信号の総和の信号ＰＤｂを減じて、光磁気信号ＭＯが形成されている。
【００１４】
図７は、上述した検出信号処理部から出力される光磁気信号ＭＯを処理して、再生パルスＰＲを形成する信号再生部の一例を示している。
【００１５】
同図において、ローパスフィルタ３０は、光磁気信号ＭＯの高周波成分をカットするためのものであり、その出力信号Ｓ１は、波形等化器３１に加えられている。
【００１６】
波形等化器３１は、例えば、余弦等化型イコライザ回路からなり、信号Ｓ１を波形整形して波形間干渉を低減するためのものであり、その出力信号Ｓ２は、微分回路３２に加えられている。
【００１７】
微分回路３２は、信号Ｓ２を微分するものであり、その出力信号Ｓ３は、自動ゲイン制御回路３３に加えられている。自動ゲイン制御回路３３は、信号Ｓ３の振幅値を所定範囲内に調整するためのものであり、その出力信号Ｓ４は、ヒステリシス特性をもつ二値化回路３４に加えられている。
【００１８】
二値化回路３４は、信号Ｓ４がその反転入力端に加えられる演算増幅器３４ａ、演算増幅器３４ａの出力を非反転入力端に帰還するための帰還抵抗３４ｂ、演算増幅器３４ａの非反転入力端と帰還抵抗３４ｂの相互接続端に接続される接地抵抗３４ｃからなり、この演算増幅器３４ａの出力は、再生パルスＰＲとして次段の回路（例えば、復調手段など）に出力されている。
【００１９】
したがって、再生パルスＰＲは、光磁気信号ＭＯのピーク位置で立ち上がるようなパルス信号となる。後段の回路では、この再生パルスＰＲのピーク間隔を検出することで記録マーク位置を判定し、再生データを形成する。
【００２０】
さて、従来では、光磁気ディスク５に代えて、磁化されていないディスクなどを検出した状態で、信号ＰＤａと信号ＰＤｂのレベルが等しくなるように、光学系の要素、例えば、１／２波長板６の位置を調整するようにしている。
【００２１】
ここで、磁化されていないディスクからの反射光の光束ＬＦは、偏光ビームスプリッタ８に対してＰ偏光として入射する（図８（ａ）参照；図中、Ｌ（ＬＦ）は光束ＬＦをあらわす。以下同じ。）。また、１／２波長板６は、その光軸が、図８（ｂ）に示すように、偏光ビームスプリッタ８の光軸に対して２２．５度をなすように位置が調整される。
【００２２】
これにより、１／２波長板６を通過した光束ＬＦａの光軸は、上述したように、偏光ビームスプリッタ８の光軸に対して４５度をなすように変換され（図８（ｃ）参照）、偏光ビームスプリッタ８によって分離されるＰ偏光成分の光束ＬＥａと、Ｓ偏光成分の光束ＬＥｂの強度がそれぞれ等しくなる（図８（ｄ）参照）。
【００２３】
すなわち、光磁気ディスク５は、全面磁性材料からなり、そのユーザデータ記録領域は、初期状態では全面が消去方向に磁化され、そこに磁化方向を反転した磁区を形成することで、データを記録している。したがって、光磁気ディスク５は、その全面が磁化されている。
【００２４】
ここで、磁性体の表面を反射した光は、その光軸が回転し、その回転方向は、磁性体の磁化方向によって変化する。
【００２５】
例えば、消去方向に磁化されている光磁気ディスク５の記録面を検出しているとき、光磁気ディスク５から反射し、１／２波長板６を通過した光束ＬＦａ’の光軸は、図８（ｅ）に示したように、偏光ビームスプリッタ８の光軸に対して（４５＋θｋ）度をなすように変換され、したがって、この場合には、偏光ビームスプリッタ８によって分離されるＰ偏光成分の光束ＬＥａ’が、Ｓ偏光成分の光束ＬＥｂ’の強度よりも大きくなる。なお、θｋはカー角度である。
【００２６】
また、記録方向に磁化されている光磁気ディスク５の記録面を検出しているとき、光磁気ディスク５から反射し、１／２波長板６を通過した光束ＬＦａ”の光軸は、図８（ｆ）に示したように、偏光ビームスプリッタ８の光軸に対して（４５−θｋ）度をなすように変換され、したがって、この場合には、偏光ビームスプリッタ８によって分離されるＰ偏光成分の光束ＬＥａ”は、Ｓ偏光成分の光束ＬＥｂ”の強度よりも小さくなる。
【００２７】
光磁気ディスク装置では、このように、偏光ビームスプリッタ８によって分離したＰ偏光成分の光束ＬＥａと、Ｓ偏光成分の光束ＬＥｂの強度の変化に基づいて、データを再生するようにしている。通常は、上述した例のように、光束ＬＥａの強度をあらわす４分割受光素子１０の各受光面１０ａ，１０ｂ，１０ｃ，１０ｄからの受光信号の総和の信号ＰＤａから、光束ＬＥｂの強度をあらわす２分割受光素子１１の各受光面１１ａ，１１ｂからの受光信号の総和の信号ＰＤｂを減じて、光磁気信号ＭＯを形成している。信号ＰＤａ，ＰＤｂ，ＭＯの一例を図９（ａ）〜（ｄ）に示す。ここで、記録状態Ｗと記録状態Ｅは、光磁気ディスク５の記録面が、それぞれ記録方向および消去方向に磁化されている状態あらわす。
【００２８】
一方、上述したように、磁化されていないディスクを検出した状態で、偏光ビームスプリッタ８によって分離されるＰ偏光成分の光束ＬＥａと、Ｓ偏光成分の光束ＬＥｂの強度がそれぞれ等しくなるように、光ピックアップ装置の光学系が調整されている。このようにして、光束ＬＥａと光束ＬＥｂの強度が等しくなるように調整されると、信号ＰＤａと信号ＰＤｂのレベルが等しくなり、その差信号である光磁気信号ＭＯの同相ノイズを除去することができる。
【００２９】
ところが、実際に検出する光磁気ディスク５は、上述したように、ユーザデータ記録領域の全ての領域で磁化されているから、光束ＬＥａと光束ＬＥｂの強度は、図８（ｅ）で示した状態、または、同図（ｆ）で示した状態のいずれか一方の状態をとり、これにより、光束ＬＥａと光束ＬＥｂの強度は、ユーザデータ記録領域の全ての領域で等しくなくなり、したがって、ユーザデータ記録領域の全ての領域で、信号ＰＤａと信号ＰＤｂのレベルが等しくなくなる。
【００３０】
その結果、原理的に、光磁気信号ＭＯには同相ノイズが残留する。
【００３１】
【発明が解決しようとする課題】
このようにして、光磁気信号ＭＯには原理的に同相ノイズが含まれることから、従来、次のような不都合を生じていた。
【００３２】
まず、光磁気信号ＭＯに含まれる同相ノイズが最も小さくなるのは、４分割受光素子１０の各受光面１０ａ，１０ｂ，１０ｃ，１０ｄからの受光信号の総和の信号ＰＤａのレベルと、２分割受光素子１１の各受光面１１ａ，１１ｂからの受光信号の総和の信号ＰＤｂのレベルが等しい場合である。
【００３３】
ところが、上述したように光束ＬＥａと光束ＬＥｂの光量が等しくないので、４分割受光素子１０の各受光面１０ａ，１０ｂ，１０ｃ，１０ｄからの受光信号の総和の信号ＰＤａのレベルと、２分割受光素子１１の各受光面１１ａ，１１ｂからの受光信号の総和の信号ＰＤｂのレベルは、等しくならない。
【００３４】
例えば、図９（ａ）の記録状態Ｗ（マーク位置）では、信号ＰＤａの方が信号ＰＤｂよりもレベルが大きくなるので、この記録状態Ｗに対応した光磁気信号ＭＯに含まれる同相ノイズが最も小さくなる点は、同図（ｄ）に破線で示したように光磁気信号ＭＯのピーク位置よりも小さいレベルになる。したがって、光磁気信号ＭＯのピーク点では、含まれる同相ノイズが比較的大きくなっている。
【００３５】
また、上述したように、光磁気信号ＭＯに基づいて再生パルスＰＲを形成する信号再生部では、光磁気信号ＭＯを微分して二値化することで、光磁気信号ＭＯのピーク位置を検出している。
【００３６】
このために、信号再生部で検出する光磁気信号ＭＯのピーク位置には、同相ノイズが比較的多く含まれることから、信号再生部から出力される再生パルスＰＲの立ち上がりエッジが不確定となり、再生パルスＰＲに含まれるジッタ成分が大きくなるという不都合を生じていた。
【００３７】
本発明は、かかる実情に鑑みてなされたものであり、光磁気信号に含まれる同相ノイズの影響を小さく抑えることができる光磁気ディスク装置を提供することを目的としている。
【００３８】
【課題を解決するための手段】
本発明は、光磁気ディスクからの反射光を２つの偏光成分の光束に分離し、おのおのの偏光成分の光束をそれぞれ受光素子で受光し、これらの２つの受光素子の受光信号の差信号を形成して光磁気信号を形成する光磁気ディスク装置において、上記第１の受光素子の受光信号を増幅する可変利得増幅回路と、上記第２の受光素子の受光信号と上記可変利得増幅回路の差を算出して光磁気信号を形成する演算手段と、上記可変利得増幅回路の利得を記録状態検出時の２つの偏光成分の光量比に基づいて初期設定するとともに、上記可変利得増幅回路の出力信号レベルが、上記第２の受光素子の信号レベルに等しくなるように上記可変利得増幅回路の利得を制御する制御手段を備えたものである。
【００３９】
また、光磁気ディスクからの反射光を２つの偏光成分の光束に分離し、おのおのの偏光成分の光束をそれぞれ受光素子で受光し、これらの２つの受光素子の受光信号の差信号を形成して光磁気信号を形成する光磁気ディスク装置において、上記第１の受光素子の受光信号を増幅する可変利得増幅回路と、上記第２の受光素子の受光信号と上記可変利得増幅回路の差を算出して光磁気信号を形成する演算手段と、上記可変利得増幅回路の利得を記録状態検出時の２つの偏光成分の光量比に基づいて初期設定するとともに、データ記録位置を再生したときの上記可変利得増幅回路の出力信号レベルが、上記第２の受光素子の信号レベルに等しくなるように上記可変利得増幅回路の利得を制御する制御手段を備えたものである。
【００４０】
また、光磁気ディスクからの反射光を２つの偏光成分の光束に分離し、おのおのの偏光成分の光束をそれぞれ受光素子で受光し、これらの２つの受光素子の受光信号の差信号を形成して光磁気信号を形成する光磁気ディスク装置において、上記第１の受光素子の受光信号を増幅する可変利得増幅回路と、上記第２の受光素子の受光信号と上記可変利得増幅回路の差を算出して光磁気信号を形成する演算手段と、上記可変利得増幅回路の利得を記録状態検出時の２つの偏光成分の光量比に基づいて初期設定するとともに、光磁気ディスクが装着されると、その直後に、上記可変利得増幅回路の出力信号レベルが、上記第２の受光素子の信号レベルに等しくなるように上記可変利得増幅回路の利得を制御し、それ以降はその利得の設定状態を保持する制御手段を備えたものである。
【００４１】
また、光磁気ディスクからの反射光を２つの偏光成分の光束に分離し、おのおのの偏光成分の光束をそれぞれ受光素子で受光し、これらの２つの受光素子の受光信号の差信号を形成して光磁気信号を形成する光磁気ディスク装置において、上記第１の受光素子の受光信号を増幅する可変利得増幅回路と、上記第２の受光素子の受光信号と上記可変利得増幅回路の差を算出して光磁気信号を形成する演算手段と、上記可変利得増幅回路の利得を記録状態検出時の２つの偏光成分の光量比に基づいて初期設定するとともに、光磁気ディスクが装着されると、その直後に、データ記録位置を再生し、その再生時の上記可変利得増幅回路の出力信号レベルが、上記第２の受光素子の信号レベルに等しくなるように上記可変利得増幅回路の利得を制御し、それ以降はその利得の設定状態を保持する制御手段を備えたものである。
【００４３】
【作用】
したがって、可変利得増幅回路の利得を記録状態検出時の２つの偏光成分の光量比に基づいて初期設定し、その後、利得を制御するようにしているので、短時間で光磁気信号のピーク点で含まれる同相ノイズの値を減少することができるとともに、ジッタの影響を大幅に抑制することができる。
【００４４】
【実施例】
以下、添付図面を参照しながら、本発明の実施例を詳細に説明する。
【００４５】
図１は、本発明の一実施例にかかる光磁気ディスク装置の制御系の要部を示している。
【００４６】
同図において、主制御部４０は、この光磁気ディスク装置の各部の動作を制御するためのものであり、ホストインタフェース回路４１は、この光磁気ディスク装置を外部記憶装置として用いるホスト装置と接続するとともに、ホスト装置との間で記録データ、再生データ、および、その他の種々のデータをやりとりするためのものである。
【００４７】
シーク系制御部４２は、光ピックアップ装置に付設されているシーク機構を、主制御部４０から指定された位置（トラック位置）に移動制御するためのものであり、スピンドルモータ系制御部４３は、光磁気ディスク５を回転駆動するスピンドルモータ（図示略）の回転を制御するためのものである。なお、光磁気ディスク５は、通常、等角速度駆動される。データバッファ４４は、記録データおよび再生データを一時的に保存するためのものである。
【００４８】
変調部４５は、主制御部４０から出力される記録データＷＳに所定の誤り訂正符号を付加するとともに、その誤り訂正符号付加後の記録データＷＳを所定の記録変調方式で変調した記録信号ＷＳａを形成するものであり、その記録信号ＷＳａは、記録制御部４６に加えられている。
【００４９】
記録制御部４６は、記録信号ＷＳａに対応した記録駆動信号ＷＳｂを形成するものであり、この記録駆動信号ＷＳｂにより、光ピックアップ装置４７の半導体レーザ素子１の記録駆動が行われる。また、この記録制御部４６から出力される磁界制御信号ＷＳｃにより、データ記録／消去時の補助磁界を発生する磁気ヘッド４８が駆動制御される。
【００５０】
光ピックアップ装置４７の４分割受光素子１０および２分割受光素子１１の各受光面から出力される受光信号ＰＳは、検出信号処理部４９に加えられている。検出信号処理部４９は、受光信号ＰＳに基づいて、光磁気ディスク５の記録トラックのユーザ領域からの再生信号である光磁気信号ＭＯ、レーザビームの焦点誤差をあらわすフォーカシング誤差信号ＥＦ、レーザビームのトラッキング誤差をあらわすトラッキング誤差信号ＥＴを形成するものであり、光磁気信号ＭＯは信号再生部５０に加えられ、フォーカシング誤差信号ＥＦはフォーカシングサーボ制御部５１に加えられ、トラッキング誤差信号ＥＴはトラッキングサーボ制御部５２に加えられている。
【００５１】
信号再生部５０は、光磁気信号ＭＯに基づいて、再生パルスＰＲを形成するものであり、その再生パルスＰＲは、復調部３８に加えられている。また、この信号再生部５０は、図７に示した従来装置のものと同一構成のものを用いることができる。
【００５２】
復調部５３は、再生パルスＰＲに基づいて、記録データ系列を復調するとともに、その記録データ系列に基づいて所定の誤り訂正処理を適用し、再生データＲＳａを形成するものであり、その再生データＲＳａは、主制御部４０に加えられている。
【００５３】
フォーカシングサーボ制御部５１は、レーザビームの焦点を光磁気ディスク５の記録面に一致させるためのものであり、フォーカシング誤差信号ＥＦが０になる制御信号を形成し、その制御信号を光ピックアップ装置４７の対物レンズ移動機構に出力する。
【００５４】
トラッキングサーボ制御部５２は、レーザビームの焦点を光磁気ディスク５の記録トラックに追従させるためのものであり、トラッキング誤差信号ＥＴが０になる制御信号を形成し、その制御信号を光ピックアップ装置４７の対物レンズ移動機構に出力する。
【００５５】
図２は、検出信号処理部４９の一例を示している。なお、同図において、図６と同一部分および相当する部分には、同一符号を付している。
【００５６】
同図において、加算器２３の加算出力ＰＤｂは、主制御部４０から出力される利得設定データＤＧによってその利得が制御される可変利得アンプ５５を介して増幅され、信号ＰＤｂ’として減算器２７のマイナス側入力端に加えられているとともに、主制御部４０に出力されている。また、加算器２６の加算出力ＰＤａは、減算器２７のプラス側入力端に加えられるとともに、主制御部４０に出力されている。
【００５７】
そして、減算器２２の減算出力がトラッキング誤差信号ＥＴとして出力され、減算器２５の減算出力がフォーカシング誤差信号ＥＦとして出力され、減算器２７の減算出力が光磁気信号ＭＯとして出力されている。
【００５８】
このようにして、２分割受光素子１１の各受光面１１ａ，１１ｂからの受光信号の総和の信号ＰＤｂは、可変利得アンプ５５により、主制御部４０によって設定された利得で増幅された信号ＰＤｂ’に変換され、この信号ＰＤｂ’が、光磁気信号ＭＯを算出するために用いられる。
【００５９】
したがって、図３（ａ）〜（ｅ）に示すように、可変利得アンプ５５の利得を適当に制御して、記録状態Ｗを検出している状態での信号ＰＤａのレベルと等しくなるように、信号ＰＤｂ’のレベルを調整すると、同図（ｅ）に破線で示したように、データ記録位置（マーク記録位置）における光磁気信号ＭＯのピーク点で同相ノイズが最小になる状態となり、その結果、信号再生部５０から出力される再生パルスＰＲに含まれるジッタ成分を大幅に削減することができる。
【００６０】
このような可変利得アンプ５５の利得は、記録状態Ｗを検出している状態での光束ＬＥａと光束ＬＥｂとの光量比に基づいて算出することができる。例えば、次式（Ｉ）に基づいて算出することができる。
【００６１】
Ｇｒ＝（ＬＥａ／ＬＥｂ）        ・・・・・（Ｉ）
【００６２】
ここで、Ｇｒは、可変利得アンプ５５に設定する利得である。
【００６３】
また、可変利得アンプ５５の利得の設定は、例えば、光磁気ディスク５が装着されたときの初期化処理において実行することができ、その方法の一例を図４に示す。
【００６４】
まず、光磁気ディスク５が装着されることを監視している（判断１０１のＮＯループ）。光磁気ディスク５が装着されて、判断１０１の結果がＹＥＳになると、スピンドルモータを回転駆動して光磁気ディスク５を所定速度に回転すると（処理１０２）、光磁気ディスク５にあらかじめ設定されている所定の検査用トラックをシークして（処理１０３）、所定のテストパターンを記録する（処理１０５）。
【００６５】
そして、利得設定データＤＧに所定の初期値を設定した状態で（処理１０５）、記録したテストパターンの再生動作を実行し（処理１０６）、検出信号処理部４９から出力される信号ＰＤａの上ピーク点のレベルと信号ＰＤｂ’の下ピーク点のレベルを判定する（処理１０７，１０８）。
【００６６】
次いで、それらのピーク点のレベルの差Ａ（絶対値）を算出して（処理１０９）、その差Ａの値が、所定の閾値ε以下になっているかどうかを調べる（判断１１０）。判断１１０の結果がＹＥＳになるときには、利得設定データＤＧの値をその時点での値に決定し、それを保持して（処理１１１）、次の処理に移行する。
【００６７】
また、判断１１０の結果がＮＯになるときには、新しい利得設定データＤＧの値を所定の演算式により算出し（処理１１２）、その算出した値を利得設定データＤＧに設定した状態で（処理１１３）、処理１０６に戻り、再度テストパターンの再生動作を実行する。
【００６８】
このようにして、利得設定データＤＧの値を決定することができる。
【００６９】
なお、本発明は、上述した実施例以外の光ピックアップ装置を用いる場合についても同様にして適用することができる。
【００７０】
【発明の効果】
以上説明したように、本発明によれば、可変利得増幅回路の利得を記録状態検出時の２つの偏光成分の光量比に基づいて初期設定し、その後、利得を制御するようにしているので、短時間で光磁気信号のピーク点で含まれる同相ノイズの値を減少することができるとともに、ジッタの影響を大幅に抑制することができるという効果を得る。
【図面の簡単な説明】
【図１】本発明の一実施例にかかる光磁気ディスク装置の制御系の要部を示したブロック図。
【図２】本発明の一実施例にかかる検出信号処理部の一例を示したブロック図。
【図３】図２の回路の動作を説明するための動作波形図。
【図４】可変利得アンプの利得の設定方法の一例を示したフローチャート。
【図５】光磁気ディスク装置に適用する光ピックアップ装置の光学系の要部を示した概略図。
【図６】検出信号処理部の従来例を示したブロック図。
【図７】信号再生部の一例を示したブロック図。
【図８】光ピックアップ装置における光束の偏光状態の変化について説明するためのグラフ図。
【図９】従来装置の不都合を説明するための動作波形図。
【符号の説明】
１０  ４分割受光素子
１１  ２分割受光素子
４０  主制御部
４９  検出信号処理部
５５  可変利得アンプ
【図１】
0003573770.tif 000002
【図２】
0003573770.tif 000003
【図３】
0003573770.tif 000004
【図４】
0003573770.tif 000005
【図５】
0003573770.tif 000006
【図６】
0003573770.tif 000007
【図７】
0003573770.tif 000008
【図８】
0003573770.tif 000009
【図９】
0003573770.tif 000010